(57)【特許請求の範囲】
【請求項１】
(ａ)グリル庫と、
(ｂ)前記グリル庫内に装備される、
(イ)調理物が載置される載置部材と、
(ロ)前記載置部材の下方に配置される汁受け皿と、
(ハ)前記汁受け皿の上に、前記汁受け皿に対して、水平方向に位置決めされた状態で配置され、前記載置部材を支える支持体と
を有するグリルを包装するためのグリル包装材であって、
前記支持体上に載置された状態における前記載置部材の上方向への移動を牽制する載置部材上方移動牽制部と、
前記載置部材上方移動牽制部が前記支持体から浮き上がることを規制する牽制部浮き上がり規制部と、
グリル包装材自体の、前記支持体に対する水平方向の移動を規制する包装材水平移動規制部と、
グリル包装材自体の、前記グリル庫に対する上方向の移動を規制して位置決めをする包装材位置決め部と
を具備し、
前記牽制部浮き上がり規制部が、前記載置部材上方移動牽制部から延設される延設部と、前記延設部に設けられ、包装された状態において、前記支持体と係合する係止部とを備えた構成とされていること
を特徴とするグリル包装材。
【請求項２】
前記載置部材上方移動牽制部と、前記牽制部浮き上がり規制部と、前記包装材水平移動規制部と、前記包装材位置決め部とが、１つの板状部材に一体に設けられていることを特徴とする請求項１記載のグリル包装材。
【請求項３】
前記包装材位置決め部により前記グリル庫に対して位置決めされた状態において、前記支持体の上方向の移動を規制する支持体上方移動規制部を備えていることを特徴とする請求項１または２記載のグリル包装材。
【請求項４】
前記支持体上方移動規制部が、前記載置部材上方移動牽制部、前記牽制部浮き上がり規制部、前記包装材水平移動規制部、および前記包装材位置決め部とともに、１つの板状部材に一体に設けられていることを特徴とする請求項３記載のグリル包装材。
【請求項５】
(ａ)グリル庫と、
(ｂ)前記グリル庫内に装備される、
(イ)調理物が載置される載置部材と、
(ロ)前記載置部材の下方に配置される汁受け皿と、
(ハ)前記汁受け皿の上に、前記汁受け皿に対して、水平方向に位置決めされた状態で配置され、前記載置部材を支える支持体と
を有するグリルの包装構造であって、
請求項１または２記載のグリル包装材が用いられ、
前記載置部材上方移動牽制部により、前記支持体上に載置された状態における前記載置部材の上方向への移動が牽制され、
前記牽制部浮き上がり規制部により、前記グリル包装材が、前記支持体から浮き上がることが規制され、
前記包装材水平移動規制部により、前記グリル包装材の前記支持体に対する水平方向の移動が規制され、
前記包装材位置決め部により、前記グリル包装材の前記グリル庫に対する上方向の移動が規制されていること
を特徴とするグリルの包装構造。
【請求項６】
(ａ)グリル庫と、
(ｂ)前記グリル庫内に装備される、
(イ)調理物が載置される載置部材と、
(ロ)前記載置部材の下方に配置される汁受け皿と、
(ハ)前記汁受け皿の上に、前記汁受け皿に対して、水平方向に位置決めされた状態で配置され、前記載置部材を支える支持体と
を有するグリルの包装構造であって、
請求項３または４記載のグリル包装材が用いられ、
前記載置部材上方移動牽制部により、前記支持体上に載置された状態における前記載置部材の上方向への移動が牽制され、
前記牽制部浮き上がり規制部により、前記グリル包装材が、前記支持体から浮き上がることが規制され、
前記包装材水平移動規制部により、前記グリル包装材の前記支持体に対する水平方向の移動が規制され、
前記包装材位置決め部により、前記包装材の前記グリル庫に対する上方向の移動が規制され、
前記支持体上方移動規制部により、前記グリル包装材が、前記包装材位置決め部により前記グリル庫に対して位置決めされた状態において、前記支持体の上方向の移動が規制されていること
を特徴とするグリルの包装構造。
【発明の詳細な説明】
【技術分野】
【０００１】
本発明は、グリル包装材およびグリルの包装構造に関し、詳しくは、魚などの被調理物を焼くのに用いられるグリルを包装するためのグリル包装材およびそれを用いたグリルの包装構造に関する。
【背景技術】
【０００２】
近年、加熱調理器として、魚などの被調理物を焼くためのグリルを備えた加熱調理器が広く用いられている。
このようなグリルを備えた加熱調理器として、例えば、特許文献１のようなグリル装置を備えた加熱調理器が知られている（特許文献１、図１〜４など参照）。
【０００３】
特許文献１に開示されている加熱調理器において、グリル庫の前部にはグリル扉が装備されており、グリル庫内には、調理物の載置部材としての焼き網と、その焼き網の下方に配置される汁受け皿とが装備されている。
そして、焼き網を支持する前後一対の支持体が焼き網に設けられており、支持体は汁受け皿の前端部および後端部に着脱可能に装着されている。
【０００４】
また、汁受け皿およびグリル扉は、グリル庫に対して一体的に出退可能に支持され、焼き網が、汁受け皿に支持された状態で、グリル庫に対して出退されるように構成されている。
【０００５】
しかしながら、特許文献１の加熱調理器のように、焼き網を支持する前後一対の支持体を焼き網と一体に設けた場合、例えば、加熱調理器を輸送する際などにおいて、振動などが加わった場合にも、支持体から焼き網が脱落することがなく、取扱上好都合であるが、その一方で焼き網の清掃を行う際に、支持体が邪魔になり、清掃しにくいという問題点がある。
【０００６】
これに対し、例えば、汁受け皿に支持体を載置しこの支持体に焼き網を載置する構造にすることで、支持体からの焼き網を取り外し可能にして、焼き網の清掃時に、支持体が邪魔にならないようにすることができる。
しかしながら、このようにした場合、加熱調理器の輸送する際の振動や衝撃によって、焼き網が支持体から脱落するおそれがあり、また、それによりグリル庫やグリル扉を傷つけるおそれがある。
【先行技術文献】
【特許文献】
【０００７】
【特許文献１】特開２００９−０７９８３１号公報
【発明の概要】
【発明が解決しようとする課題】
【０００８】
本発明は、上記課題を解決するものであり、グリルを備えた加熱調理器において、焼き網を支持体から取り外すことを可能にして、焼き網の清掃を行うときに支持体が邪魔にならないようにした場合にも、輸送する際の振動や衝撃などによって、焼き網が支持体から脱落しないように包装することが可能なグリル包装材およびそれを用いたグリルの包装構造を提供することを目的とする。
【課題を解決するための手段】
【０００９】
上記課題を解決するために、本発明のグリル包装材は、
(ａ)グリル庫と、
(ｂ)前記グリル庫内に装備される、
(イ)調理物が載置される載置部材と、
(ロ)前記載置部材の下方に配置される汁受け皿と、
(ハ)前記汁受け皿の上に、前記汁受け皿に対して、水平方向に位置決めされた状態で配置され、前記載置部材を支える支持体と
を有するグリルを包装するためのグリル包装材であって、
前記支持体上に載置された状態における前記載置部材の上方向への移動を牽制する載置部材上方移動牽制部と、
前記載置部材上方移動牽制部が前記支持体から浮き上がることを規制する牽制部浮き上がり規制部と、
グリル包装材自体の、前記支持体に対する水平方向の移動を規制する包装材水平移動規制部と、
グリル包装材自体の、前記グリル庫に対する上方向の移動を規制して位置決めをする包装材位置決め部と
を具備し、
前記牽制部浮き上がり規制部が、前記載置部材上方移動牽制部から延設される延設部と、前記延設部に設けられ、包装された状態において、前記支持体と係合する係止部とを備えた構成とされていること
を特徴としている。
【００１０】
また、本発明のグリル包装材においては、前記載置部材上方移動牽制部と、前記牽制部浮き上がり規制部と、前記包装材水平移動規制部と、前記包装材位置決め部とが、１つの板状部材に一体に設けられていることが好ましい。
【００１１】
また、前記包装材位置決め部により前記グリル庫に対して位置決めされた状態において、前記支持体の上方向の移動を規制する支持体上方移動規制部を備えていることが好ましい。
【００１２】
また、前記支持体上方移動規制部が、前記載置部材上方移動牽制部、前記牽制部浮き上がり規制部、前記包装材水平移動規制部、および前記包装材位置決め部とともに、１つの板状部材に一体に設けられていることが好ましい。
【００１３】
また、本発明のグリルの包装構造は、
(ａ)グリル庫と、
(ｂ)前記グリル庫内に装備される、
(イ)調理物が載置される載置部材と、
(ロ)前記載置部材の下方に配置される汁受け皿と、
(ハ)前記汁受け皿の上に、前記汁受け皿に対して、水平方向に位置決めされた状態で配置され、前記載置部材を支える支持体と
を有するグリルを備えたグリルの包装構造であって、
上述のグリル包装材（請求項１または２記載のグリル包装材）が用いられ、
前記載置部材上方移動牽制部により、前記支持体上に載置された状態における前記載置部材の上方向への移動が牽制され、
前記牽制部浮き上がり規制部により、前記グリル包装材が、前記支持体から浮き上がることが規制され、
前記包装材水平移動規制部により、前記グリル包装材の前記支持体に対する水平方向の移動が規制され、
前記包装材位置決め部により、前記グリル包装材の前記グリル庫に対する上方向の移動が規制されていること
を特徴としている。
【００１４】
また、本発明の他のグリルの包装構造は、
(ａ)グリル庫と、
(ｂ)前記グリル庫内に装備される、
(イ)調理物が載置される載置部材と、
(ロ)前記載置部材の下方に配置される汁受け皿と、
(ハ)前記汁受け皿の上に、前記汁受け皿に対して、水平方向に位置決めされた状態で配置され、前記載置部材を支える支持体と
を有するグリルの包装構造であって、
請求項３または４記載のグリル包装材が用いられ、
前記載置部材上方移動牽制部により、前記支持体上に載置された状態における前記載置部材の上方向への移動が牽制され、
前記牽制部浮き上がり規制部により、前記グリル包装材が、前記支持体から浮き上がることが規制され、
前記包装材水平移動規制部により、前記グリル包装材の前記支持体に対する水平方向の移動が規制され、
前記包装材位置決め部により、前記グリル包装材の前記グリル庫に対する上方向の移動が規制され、
前記支持体上方移動規制部により、前記グリル包装材が、前記包装材位置決め部により前記グリル庫に対して位置決めされた状態において、前記支持体の上方向の移動が規制されていること
を特徴としている。
【発明の効果】
【００１５】
本発明のグリル包装材は、支持体上に載置された状態における載置部材の上方向への移動を牽制する載置部材上方移動牽制部と、載置部材上方移動牽制部が支持体から浮き上がることを規制する牽制部浮き上がり規制部と、グリル包装材自体の、支持体に対する水平方向の移動を規制する包装材水平移動規制部と、グリル包装材自体の、グリル庫に対する上方向の移動を規制して位置決めをする包装材位置決め部とを具備しているので、グリル内の焼き網を支持体から取り外し可能にして、焼き網の清掃を容易にした場合、輸送する際の振動や衝撃によって、焼き網が支持体から脱落しないように包装することが可能になる。
すなわち、支持体から焼き網を取り外し可能にすることで、焼き網の清掃を容易にする清掃対応性を向上させたグリルを包装するにあたって、輸送中の振動や衝撃によっても、焼き網が支持体から脱落するおそれのない包装を実現することができる。
【００１６】
また、牽制部浮き上がり規制部が、載置部材上方移動牽制部から延設される延設部と、延設部に設けられ、支持体と係合する係止部とを備えた構成とされているので、上記の延設部を設けるとともに、延設部に係止部を設けるだけの簡潔な構成で、高い包装信頼性を備えたグリル包装材を提供することが可能になる。
【００１７】
また、本発明のグリル包装材を構成する載置部材上方移動牽制部と、牽制部浮き上がり規制部と、包装材水平移動規制部と、包装材位置決め部とを、１つの板状部材に一体に設けるようにした場合、簡潔な構成で、信頼性の高いグリル包装材を提供することが可能になる。
【００１８】
また、グリル包装材が、包装材位置決め部によりグリル庫に対して位置決めされた状態において、支持体の上方向の移動を規制する支持体上方移動規制部を備えている場合、輸送中の振動や衝撃により焼き網が支持体から脱落することのみならず、支持体が上方に移動することをも防止して、より安定した状態で焼き網を保持することが可能になり、本発明をさらに実効あらしめることができる。
【００１９】
また、支持体上方移動規制部を、載置部材上方移動牽制部、牽制部浮き上がり規制部、包装材水平移動規制部、および包装材位置決め部とともに、１つの板状部材に一体に設けた構成とすることにより、簡潔な構成で、信頼性の高いグリル包装材を提供することが可能になる。
【００２０】
また、本発明のグリルの包装構造は、上述の本発明のグリル包装材を用いてグリルを包装することにより得られる包装構造であり、グリル内の焼き網を支持体から取り外し可能にして、焼き網の清掃を容易にした場合において、輸送の際の振動や衝撃によって、焼き網が支持体から脱落しないようなグリルの包装構造を提供することができる。
【００２１】
なお、本発明の他のグリルの包装構造では、支持体上方移動規制部により、グリル包装材が、包装材位置決め部によりグリル庫に対して位置決めされた状態において、支持体の上方向の移動を規制するようにしているので、輸送中の振動や衝撃により焼き網が支持体から脱落することのみならず、支持体が上方に移動することをも防止して、より安定した状態で焼き網を保持することが可能になり、本発明をさらに実効あらしめることができる。
【図面の簡単な説明】
【００２２】
【図１】本発明のグリル包装材による包装の対象であるグリルを備えた加熱調理器の斜視図である。
【図２】図１の加熱調理器の要部、すなわち、グリルを構成する汁受け皿、支持体、載置部材（焼き網）およびグリル扉の支持構造を示す側面図である。
【図３】本発明の実施形態において用いられているグリル包装材の展開平面図である。
【図４】汁受け皿、支持体、載置部材（焼き網）およびグリル包装材と、グリル庫との位置関係を示す正面断面図である。
【図５】汁受け皿、支持体および載置部材（焼き網）とグリル包装材との位置関係を模式的に示す側面図である。
【図６】支持体および載置部材（焼き網省略）とグリル包装材との位置関係を模式的に示す斜視図である。
【図７】グリル包装材の載置部材上方移動牽制部に、支持体の一部の係合孔への嵌入状態を視認するための視認用開口を設けた別実施例を示す斜視図である。
【図８】焼き網と支持体を示す分解斜視図である。
【発明を実施するための形態】
【００２３】
以下に本発明の実施形態を示して、本発明の特徴とするところをさらに詳しく説明する。
【００２４】
［実施形態１］
図１は本発明の実施形態にかかるグリルを備えた加熱調理器を示す斜視図、図２は、加熱調理器の要部、すなわち、グリルを構成する汁受け皿、支持体、載置部材（焼き網）およびグリル扉の支持構造を示す側面図である。
【００２５】
図１に示すように、本発明のグリル包装材を用いて包装を行う対象であるグリルを備えた加熱調理器は、コンロバーナとして、標準バーナ１ａ、小バーナ１ｂおよび高火力バーナ１ｃを備え、かつ、天板２の下方にグリルＧを設けた、ビルトインタイプのグリル付ガスコンロであり、ガスコンロ前側面には、コンロバーナやグリルＧの点火および消火や火力調節を指令する手動操作部Ｓが設けられている。
【００２６】
また、図２および図４に示すように、グリルＧには、前面部および背部が開口した筒状に形成されたグリル庫５が備えられている。また、グリル庫５の後方側には、燃焼排ガスをグリル排気口４に導く排気ダクト６（図２参照）が接続され、グリル庫５の前部には、グリル扉Ａが装備されている。
さらに、グリル庫５内には、被調理物の載置部材としての焼き網７と、その焼き網７の下方に配置される汁受け皿８とが装備されている。
【００２７】
そして、この実施形態にかかる加熱調理器においては、焼き網７を位置決め状態で支持する、下フレーム７ｂ、前フレーム７ｃ、後フレーム７ｄよりなる支持体７ａが（図８参照）、汁受け皿８に着脱可能に載置されている。
【００２８】
なお、焼き網７は、図８に示すように、前フレーム７ｃおよび後フレーム７ｄの横方向における中央部が上方向に突出する突出部７ｆが、焼き網７の前端および後端に設けられた位置決め領域７ｇに嵌入することにより、支持体７ａに対して位置決めされるように構成されている。
【００２９】
さらに、支持体７ａの、下フレーム７ｂから下方に突設された突起７ｅ（図８）が、汁受け皿８に穿設された位置決め用孔（図示せず）に挿入されて、支持体７ａと汁受け皿８とが水平方向に位置決めされており、これにより支持体７ａが汁受け皿８上に載置されたときに、焼き網７が汁受け皿８に対して位置決めされるように構成されている。
【００３０】
ちなみに、図４に示すように、汁 受け皿８およびグリル扉Ａは、後述の如く、グリル庫５に対して一体的に出し入れ可能に支持され、焼き網７が、汁受け皿８に支持された状態で、グリル庫５に対して出し入れが行われるように構成されている。
また、グリル庫５の上壁部には、焼き網７に載置された被調理物を上方から加熱する輻射式の上バーナ１９が装備されている。
【００３１】
グリル庫５の側壁５Ａよりも外方箇所に、焼き網７に載置された被調理物を加熱するためのバーナとして、左右一対の下バーナ１０が、側壁５Ａに形成した炎通過孔１１を通してグリル庫５内に伸びる炎を形成する状態で設けられている。
【００３２】
なお、左右一対の下バーナ１０のそれぞれは、焼き網７よりも横外方に位置する状態で配置されている。つまり、左右一対の下バーナ１０は、長手方向に沿って燃料噴出口１０ａを備える円筒状に形成されており、長手方向がグリル庫５の前後方向に沿う姿勢で、グリル庫５の側壁５Ａの外方箇所に、焼き網７よりも下方側でかつ焼き網７よりも横外方に位置する状態で配置されている。
【００３３】
また、左右一対の下バーナ１０は、グリル庫５の背部側に相当する一端部から燃料ガスが供給される際に、一次空気がエジェクタ作用によって供給され、かつ、グリル庫５の底部に形成した空気孔（図示せず）などから外気が二次空気として取り入れられて燃焼する、いわゆるブンゼン式バーナとして構成されている。
【００３４】
＜グリルにおける汁受け皿、支持体、載置部材（焼き網）およびグリル扉の支持構造＞
図２、図４に示すように、本発明のグリル包装材による包装の対象である加熱調理器が備えるグリルＧには、グリル庫５の左右の側壁５Ａの下部に設けた凹入部Ｕに、長手方向をグリル庫の前後向に向けた姿勢でグリル庫５に固定設置される固定側レール部１３が配設されている。
【００３５】
そして、その固定側レール部１３に対してグリル庫５の前後方向に移動可能に支持される中間レール１４、および、その中間レール１４に対してグリル庫５の前後方向に移動可能に支持される可動レール部１５を備えたスライドレール式の案内機構が設けられている。
【００３６】
また、汁受け皿８の左右の端縁部が、左右の案内機構における可動レール部１５に対して、上方に取り外し可能な状態で、載置支持されている。
また、グリル扉Ａが、左右の案内機構における可動レール部１５の先端部に支持されている。
【００３７】
したがって、汁受け皿８は、グリル庫５の前方に引き出した状態で、上方に持ち上げることにより、可動レール部１５から取り外すことができるため、可動レール部１５から取り外した状態で、容易かつ確実に洗浄を行うことができる。
【００３８】
なお、詳細な構造についての説明は省略するが、グリル扉Ａは、可動レール部１５に対して着脱可能に取り付けられて、可動レール部１５から取り外した状態で洗浄を行うことができるように構成されている。
【００３９】
＜グリル包装材の構成について＞
図３は、本発明の実施形態において用いられているグリル包装材の展開平面図である。
【００４０】
グリルＧを構成する汁受け皿８、支持体７ａ、および載置部材（焼き網）７と、グリル包装材９との係合関係や、それらとグリル庫５との位置関係、すなわち、グリル内部の包装構造については以下に詳しく説明するが、まず、本発明の実施形態において用いられているグリル包装材９の構成について説明する。
【００４１】
この実施形態で用いられているグリル包装材９は、図３〜６に示すように、
(ａ)支持体７ａ上に載置された状態における載置部材７の上方向への移動を牽制する載置部材上方移動牽制部９ａと、
(ｂ)載置部材上方移動牽制部９ａが支持体７ａから浮き上がることを規制する牽制部浮き上がり規制部９ｂと、
(ｃ)グリル包装材９自体の、支持体７ａに対する水平方向の移動を規制する包装材水平移動規制部９ｃと、
(ｄ)グリル包装材９自体が、グリル庫５に対して上方向に移動することを規制して位置決めをする包装材位置決め部９ｄと、
(ｅ)グリル包装材９が、グリル庫５に対して位置決めされた状態において、支持体７ａの上方向の移動を規制する支持体上方移動規制部９ｅと
を備えている。
【００４２】
また、牽制部浮き上がり規制部９ｂは、載置部材上方移動牽制部９ａから延設される延設部９ｈと、延設部９ｈに設けられ、包装された状態において支持体と係合する係止部９ｉとを備えた構成とされている。
【００４３】
また、この実施形態では包装の対象であるグリルにおいては、支持体７ａの一部を汁受け皿８に穿設した係合孔（図示せず）に嵌入することにより、支持体７ａと汁受け皿８とが水平方向に位置決めされるように構成されており、かつ、グリル包装材９を構成する載置部材上方移動牽制部９ａには、支持体７ａの一部の上記係合孔への嵌入状態を載置部材上方移動牽制部９ａの上方から視認するための視認用開口９ｇが設けられている。
【００４４】
なお、包装が行われた状態でグリル包装材９自体が上方向に移動することを規制して位置決めをする包装材位置決め部９ｄは、グリル包装材９が、グリル庫５に対して位置決めされた状態において、支持体７ａの上方向への移動を規制する支持体上方移動規制部９ｅとしても機能するように構成されている。
【００４５】
また、このグリル包装材９は、図３からも明らかなように、載置部材上方移動牽制部９ａ、牽制部浮き上がり規制部９ｂ、包装材水平移動規制部９ｃ、包装材位置決め部９ｄ、支持体上方移動規制部９ｅを１つの板状部材（段ボール紙）に一体に設けることにより形成されている。
そして、グリル包装材９には所定の折り曲げ位置２０には、加工を容易にするための折り曲げ予備加工（型押し加工）が施されており、包装を容易に行うことができるように構成されている。
【００４６】
＜グリル包装材を用いた包装構造について＞
次に、図３〜図６を参照しつつ、上述のグリル包装材９を用いた包装構造、すなわち、汁受け皿８、支持体７ａ、および載置部材（焼き網）７と、グリル包装材９との係合関係、および、それらとグリル庫５との位置関係について説明する。
【００４７】
なお、包装構造を示す図６においては、包装材９と支持体７ａとの位置関係を理解し易くするため、グリル包装材９と支持体７ａとの間に挟持される焼き網７の記載を省略してある。
【００４８】
図３〜図６に示すように、載置部材（焼き網）７が支持体７ａ上に載置された状態において、載置部材７が上方向に移動することを牽制する載置部材上方移動牽制部９ａ、載置部材上方移動牽制部９ａの支持体７ａからの浮き上がりを規制する牽制部浮き上がり規制部９ｂ、グリル包装材９の支持体７ａに対する水平方向の移動を規制する包装材水平移動規制部９ｃ、グリル包装材９をグリル庫５に対して位置決めする包装材位置決め部９ｄ、支持体７ａの上方向の移動を規制する支持体上方移動規制部９ｅを備えたグリル包装材９を、所定の折り曲げ位置で折り曲げて、包装が行われることにより、グリル庫５内に収容される載置部材（焼き網）７、支持体７ａの包装が行われる。そして、載置部材（焼き網）７、支持体７ａが所定の位置に保持されるとともに、グリル包装材９自体も、所定の位置に保持される。
【００４９】
この実施形態のグリル包装材を用いた包装構造においては、図５に示すように、焼き網７の上面にグリル包装材９の載置部材上方移動牽制部９ａが配置され、載置部材上方移動牽制部９ａの前端から、支持体７ａの前フレーム７ｃの前側を経て下方向に延設される延設部９ｈが、支持体７ａの下フレーム７ｂの前端の下側を後方向に伸びて載置部材上方移動牽制部９ａの支持体７ａからの浮き上がりを規制する牽制部浮き上がり規制部９ｂを構成する。
【００５０】
また、上述のように後方向に伸びた牽制部浮き上がり規制部９ｂの左右端が、支持体７ａの下フレーム７ｂの左右端の上側で、下フレーム７ｂの左右端より横方向に突出して、包装が行われた状態でグリル包装材９自体が上方向に移動することを規制して位置決めを行う包装材位置決め部９ｄは、グリル包装材９が、グリル庫５に対して位置決めされた状態において、支持体７ａの上方向の移動を規制する支持体上方移動規制部９ｅとしても機能する。
【００５１】
また、載置部材上方移動牽制部９ａの後端においても、載置部材上方移動牽制部９ａの後端から、支持体７ａの後フレーム７ｄの後側を経由して下方向に延設される延設部９ｈが、支持体７ａの下フレーム７ｂの後端の下側を前方向に伸びて載置部材上方移動牽制部９ａの支持体７ａからの浮き上がりを規制する牽制部浮き上がり規制部９ｂを構成し、牽制部浮き上がり規制部９ｂの左右端が、支持体７ａの下フレーム７ｂの左右端の上側で、支持体７ａの下フレーム７ｂの左右端より横方向に突出して、グリル包装材９自体が上方向に移動することを規制する包装材位置決め部９ｄを形成するとともに、支持体７ａの上方向の移動を規制する支持体上方移動規制部９ｅを形成する。
【００５２】
ちなみに、載置部材上方移動牽制部９ａの後端において、支持体７ａの後フレーム７ｄの後側を経由して下方向に延設される延設部９ｈが、支持体７ａの下フレーム７ｂの後端の下側を前方向に伸び、この前方向に伸びた部分には切り込み９ｆが設けられており、この切り込み９ｆに下フレーム７ｂを挟み込んで、切り込み９ｆより前側の部分が下フレーム７ｂの左右端の上側で下フレーム７ｂの左右端より横方向に突出して、グリル包装材９自体が上方向に移動することを規制する包装材位置決め部９ｄを形成するとともに、支持体７ａの上方向の移動を規制する支持体上方移動規制部９ｅを形成している。
【００５３】
なお、図６に示すように、載置部材上方移動牽制部９ａの後端において載置部材上方移動牽制部９ａの後端から後フレーム７ｄの後側を経由して下方向に延設される延設部９ｈと載置部材上方移動牽制部９ａとの境界には、後フレーム７ｄの一部がグリル包装材９の上方に突出して、グリル包装材９の支持体７ａに対する水平方向の移動を規制する包装材水平移動規制部（水平移動規制孔）９ｃが設けられている。
また、上述の切り込み９ｆもグリル包装材９の支持体７ａに対する水平方向の移動を規制する機能を果たす。
【００５４】
上述のように支持体７ａに焼き網７を載置した状態でグリル包装材９を配設することにより、支持体７ａと焼き網７とグリル包装材９とが一体に保持されるとともに、支持体７ａと焼き網７とグリル包装材９からなる包装構造体Ｒは不用意には分離されない一体品として取り扱うことが可能になる（図５参照）。
【００５５】
また、グリル扉Ａと接続された可動レール部１５に載置された汁受け皿８上に、上述の包装構造体Ｒを載置して、汁受け皿８をグリル庫５内に収納すると、図４に示すように、支持体７ａの下フレーム７ｂの上に位置する支持体上方移動規制部９ｅが、凹入部Ｕの上端付近に形成された隙間、すなわち、可動レール部１５上に配設された汁受け皿８の周縁部上面に位置する、支持体７ａの下フレーム７ｂの上側に形成された間隙に挿入される。
【００５６】
なお、図４においては、構成を簡潔に表現するために、グリル包装材９に関して支持体上方移動規制部９ｅ（包装材位置決め部９ｄ）付近のみを記載してあり、グリル包装材９のうち支持体上方移動規制部９ｅ（包装材位置決め部９ｄ）以外の部分についての記載は省略してある。
【００５７】
また、グリル包装材９自体の上方向への移動は、上述のように、支持体上方移動規制部９ｅとしても機能する包装材位置決め部９ｄによって制限される。つまり、この実施形態の包装構造においては、グリル包装材９をグリル庫５に対して上方向の移動を規制して位置決めをする包装材位置決め部９ｄと支持体７ａの上方向への移動を規制する支持体上方移動規制部９ｅは兼用されており、１つの部材（部位）が、包装材位置決め部９ｄと、支持体上方移動規制部９ｅを兼ねるように構成されている。
【００５８】
この図４に示す状態でグリルＧに多少の振動や衝撃が印加されても、グリル包装材９によって支持体７ａおよび焼き網７の上方向への移動が規制されることから、支持体７ａと焼き網７とグリル包装材９とが一体に包装された包装構造体Ｒの汁受け皿８からの分離・脱落が抑制される。その結果、グリルＧを備えた加熱調理器の輸送中の振動や衝撃によっても、焼き網が支持体から不用意に脱落することを確実に抑制、防止することが可能になる。
【００５９】
［別実施形態］
上記実施形態では、包装材位置決め部９ｄが、支持体上方移動規制部９ｅを兼ねるように構成されている場合を例にとって説明したが、包装材位置決め部９ｄと、支持体上方移動規制部９ｅとを別体で構成してもよい。
【００６０】
また、図７に示すように、載置部材上方移動牽制部９ａに、支持体７ａの下フレーム７ｂから下方に突設された突起７ｅが汁受け皿８に穿設された視認用開口に嵌入されていることを載置部材上方移動牽制部９ａの上方から視認するための視認用開口９ｇを設けると、包装構造体Ｒの汁受け皿８の所定位置への載置が確実にしかも容易に行える。
【００６１】
なお、図７においても、グリル包装材９と支持体７ａとの位置関係を理解し易くするため、グリル包装材９と支持体７ａとの間に挟持される焼き網７の記載を省略してある。
【００６２】
上記実施例では、コンロとグリルとを備えた加熱調理器を例にとって説明したが、加熱調理器は、ガスコンロを備えないグリルであってもよい。
また、加熱調理器の燃料はガスに限定されず、ガス以外の燃料またはエネルギによって加熱を行うものであってもよい。
【００６３】
また、グリル包装材は、ダンボール以外の、例えば樹脂の板材などの素材により構成してもよい。
【００６４】
本発明は、さらにその他の点においても、上記実施例に限定されるものではなく、発明の範囲内において、種々の応用、変形を加えることが可能である。
【符号の説明】
【００６５】
１ａ        標準バーナ
１ｂ        小バーナ
１ｃ        高火力バーナ
２          天板
４          グリル排気口
５          グリル庫
５Ａ        側壁
６          排気ダクト
７          載置部材（焼き網）
７ａ        支持体
７ｂ        下フレーム
７ｃ        前フレーム
７ｄ        後フレーム
７ｅ        突起
７ｆ        突出部
７ｇ        位置決め領域
８          汁受け皿
９          グリル包装材
９ａ        載置部材上方移動牽制部
９ｂ        牽制部浮き上がり規制部
９ｃ        包装材水平移動規制部（水平移動規制孔）
９ｄ        包装材位置決め部
９ｅ        支持体上方移動規制部
９ｆ        切り込み
９ｇ        視認用開口
９ｈ        延設部
９ｉ        係止部
１０        下バーナ
１０ａ      燃料噴出口  
１１        炎通過孔
１３        固定側レール部
１４        中間レール
１５        可動レール部
１９        上バーナ
２０        折り曲げ位置
Ａ          グリル扉
Ｒ          包装構造体
Ｓ          手動操作部
Ｇ          グリル
Ｕ          凹入部
【図１】
0005902450.tif 000002
【図２】
0005902450.tif 000003
【図３】
0005902450.tif 000004
【図４】
0005902450.tif 000005
【図５】
0005902450.tif 000006
【図６】
0005902450.tif 000007
【図７】
0005902450.tif 000008
【図８】
0005902450.tif 000009